(57)【特許請求の範囲】
【請求項１】
ロール紙の両側端を押える一対の押さえ板と、
それぞれ径が異なる複数種類の前記ロール紙の内周にそれぞれ嵌合する複数種類のコアと、
前記押さえ板に前記コアを着脱自在に取り付ける係合構造と、
前記ロール紙が載置されるベースと、
一方が他方に対して近接離反する方向にスライド自在に前記ベースに立設されて前記一対の押さえ板を支持する一対のガイドと、
を有し、前記コアが前記押さえ板の両面に着脱自在であることを特徴とするロール紙保持装置。
【請求項２】
前記押さえ板にロール紙の内周に嵌合するコアが突設されている請求項１記載のロール紙保持装置。
【請求項３】
前記コアの外周面に前記ロール紙の軸方向に略平行なリブが形成されている請求項１または２記載のロール紙保持装置。
【発明の詳細な説明】
【０００１】
【発明の属する技術分野】
本発明は、プリンタの給紙口近傍等に取り付けられて用いられ、ロール紙を支持するロール紙保持装置に関する。
【０００２】
【従来の技術】
ロール紙保持装置は、プリンタの給紙口付近に配置されて用いられる。ロール紙保持装置には、従来、ロール紙の内周に片持ち支持の軸を貫通させその軸にロール紙の両側端を挟んで位置決めする一対の押さえ板を取り付ける構造や、円筒の内面のような形状の凹面にロール紙を直接置く構造がある。
【０００３】
また、プリンタ本体側では、用紙の幅方向中央を基準に位置決めするセンター基準や、用紙の左右何れかの側端を基準に位置決めする片側基準がある。
【０００４】
ロール紙保持装置からプリンタ本体へ給紙する際には、ロール紙の蛇行、印字位置のズレ、紙詰まり等の発生を防ぐために、用紙の位置合わせ作業が必要である。
【０００５】
従来、プリンタ本体における所定位置に対するロール紙の位置合わせは、ロール紙を支持する軸につけられた目盛を読んで合わせたり、目視で見当をつけてプリンタ本体の用紙幅ガイドに合わせたりして行っている。
【０００６】
また、ロール紙を凹面に直接置く構造では、ロール紙の幅方向の位置合わせを行う部材は設けられていないことが多い。
【０００７】
【発明が解決しようとする課題】
軸に取り付けた一対の押さえ板でロール紙を挟む構造では、ロール紙を引き出す際の力が軸に強く作用した場合、軸が給紙方向に引っ張られることにより、ロール紙に斜め方向の引っ張り力が作用して、押さえ板の外周側が撓み、斜行や蛇行が発生するという不都合がある。この傾向は、押さえ板がバネ性を利用して軸に取り付けられている場合に特に顕著である。
【０００８】
また、軸につけられた目盛を頼りに用紙の位置合わせを行う構造のロール紙保持装置では、用紙をセンター基準で位置合わせする場合には特に、オペレータの目盛読み違いなどの誤差によって、ロール紙のセンター位置とプリンタ本体のセンター位置とがずれてしまうことがある。したがって、ロール紙が蛇行や斜行したり、印字位置がずれたり、紙詰まりが発生したりするという不都合がある。
【０００９】
ロール紙を凹面に直接置く構造のロール紙保持装置では、径が大きいロール紙を用いる場合には、引き出すのに要する力が大きくなり、プリンタ本体側の用紙を搬送する駆動系に過負荷がかかる。また、ロール紙の径が大きい場合には、ロール紙は自重で変形してしまい、さらに引き出しにくくなる。しかも、ロール紙は引き出される際に凹面に擦り付けられるので、印字面を外側にして巻かれたロール紙は、印字面に悪影響が及ぼされる。
【００１０】
これらの不都合を無くすため、発明者は、以下のようなロール紙保持装置を考えている。すなわち、使用されるロール紙の最大径よりも径が大きい一対の押さえ板でロール紙の両側端を押さえ、この押さえ板で挟まれたロール紙をベースに載置し、ベースに立設されたガイドでさらに挟んで支持するロール紙保持装置である。これにより、押さえ板の撓みを防ぎ、また、ロール紙の外周面をベースから浮かせてロール紙を引き出す際の摩擦抵抗を低下させる。
【００１１】
そのようなロール紙保持装置では、押さえ板とロール紙との空回りを防ぐため、各押さえ板の互いに対向する面に、ロール紙の芯に嵌合するコアを設ける必要がある。
【００１２】
しかし、ロール紙は多種類あり、それらの芯の内径も一種類ではない。また、ロール紙の芯は、紙製であるため内径の寸法誤差が大きく、サイズが合っていても芯の内周面とコアの外周面との間に隙間ができることがある。
【００１３】
本発明は、複数種類のロール紙に対応できるロール紙保持装置を得ることを目的とする。
【００１４】
また本発明は、押さえ板に着脱可能なコアの紛失を防止することを目的とする。
【００１５】
さらに本発明は、コアとロール紙との空回りを防止することを目的とする。
【００１６】
【課題を解決するための手段】
請求項１記載の発明のロール紙保持装置は、ロール紙の両側端を押える一対の押さえ板と、それぞれ径が異なる複数種類の前記ロール紙の内周にそれぞれ嵌合する複数種類のコアと、前記押さえ板に前記コアを着脱自在に取り付ける係合構造と、前記ロール紙が載置されるベースと、一方が他方に対して近接離反する方向にスライド自在に前記ベースに立設されて前記一対の押さえ板を支持する一対のガイドとを有し、前記コアが前記押さえ板の両面に着脱自在であることを特徴とする。
【００１９】
したがって、使用しないコアは、押さえ板のロール紙に接しない側の面に取り付けることにより、紛失を防止できる。
【００２０】
請求項２記載の発明は、請求項１記載のロール紙保持装置であって、前記押さえ板にロール紙の内周に嵌合するコアが突設されている。
【００２１】
したがって、さらに一種類のロール紙に対応することができる。
【００２２】
請求項３記載の発明は、請求項１または２記載のロール紙保持装置であって、前記コアの外周面に前記ロール紙の軸方向に略平行なリブが形成されている。
【００２３】
したがって、リブが形成されたコアが芯に圧入されるため、寸法精度が良くない芯にもコアを嵌合させることが可能となる。
【００２４】
【発明の実施の形態】
本発明のロール紙保持装置の第一の実施の形態について、図１〜図４に基づいて説明する。
【００２５】
まず、図１は、本実施の形態のロール紙保持装置１及びこのロール紙保持装置１が用いられるプリンタ２の外観を示す斜視図であり、図２は、ロール紙保持装置１及びプリンタ２の構造を概略的に示す縦断右側面図である。
【００２６】
ロール紙保持装置１は、プリンタ２の後端に取り付けられる。プリンタ２に対するロール紙保持装置１の位置は、プリンタ２後端から下向きに突出した二つの凸部３，４と、ロール紙保持装置１の前端に形成された二つの凹部５，６との嵌合により決定される。ここで、一方の凹部６は、凸部３，４間の寸法誤差或いは凹部５，６間の寸法誤差を逃がすために長孔形状に形成されている。したがって、凸部３と凹部５との嵌合が位置決めの基準となっている。
【００２７】
プリンタ２の背面には、ロール紙保持装置１に保持されたロール紙Ｒから引き出した用紙ｓが差し込まれる給紙口７が形成されている。また、プリンタ２の正面には、印字済みの用紙ｓが排出される排紙口８が形成されている。そして、プリンタ２内には、給紙口７から排紙口８まで用紙ｓを搬送する用紙搬送路９が形成されている。
【００２８】
排紙口８の上流側には、用紙搬送路９を挟んで下方にはプラテン１０が、上方にはサーマルヘッド１１が配設されている。
【００２９】
給紙口７の下流側には、給紙口７から差し込まれる用紙ｓをセンター基準で位置決めする用紙ガイド部１２が設けられている。
【００３０】
次に、ロール紙保持装置１の構造について説明する。まず、ロール紙保持装置１は、ロール紙Ｒの両側端を挟む一対の押さえ板１３を備えている。押さえ板１３は円盤形状であって、径は使用するロール紙Ｒの最大径よりも大きい。押さえ板１３のロール紙Ｒに接する面の中央には、それぞれ、ロール紙Ｒの内周に嵌合する嵌合部であるコア１４が突設されている。そして、押さえ板１３のコア１４が突設された面の反対側の面の中央には、支軸１５が突設されている。
【００３１】
また、ロール紙保持装置１は、凹部５，６が前端に形成されたベース１６を備えている。ベース１６には、円筒の内面のような形状の凹面１７が形成されている。そして、凹面１７には、用紙幅方向に平行に二本の支持ローラ１８，１９が埋設されている。支持ローラ１８，１９の外周面の一部は凹面１７から突出している。
【００３２】
凹面１７上における支持ローラ１８と支持ローラ１９との間には、用紙幅方向にスライド自在な一対のガイド２０が設けられている。ガイド２０は、図示しないラックアンドピニオン構造により、互いに近接離反する方向に連動する。また、各ガイド２０には、それぞれスライドをロックするロックレバー２１が設けられている。
【００３３】
図３及び図４を用いて、押さえ板１３の構造を詳細に説明する。ロール紙Ｒの両側端を押える押さえ板１３には、係合孔２２が形成されており、この係合孔２２には、コア１４の上から着脱可能で内径がコア１４よりも大きい芯ｒに嵌合するコア２３が備える係合爪２４が係合する。ここで、これらの係合孔２２と係合爪２４とにより、係合構造２５が形成されている。
【００３４】
コア１４及びコア２３のそれぞれの外周面には、嵌合するロール紙Ｒの軸方向に略平行なリブ２６が形成されている。これらのリブ２６の押さえ板１３から遠い側の端部には、押さえ板１３に遠い方から近い方へと高くなるテーパ部２７が形成されている。
【００３５】
このような構成において、ロール紙保持装置１に支持されたロール紙Ｒから引き出された用紙ｓは、給紙口７からプリンタ２内に差し込まれ、プラテン１０で搬送されながらサーマルヘッド１１で印字されて、排紙口８から排紙される。
【００３６】
ロール紙Ｒは、ロール紙保持装置１にセットされて回転自在に支持される。セットするには、まず、ロール紙Ｒの芯ｒの内径に合うのがコア１４であれば、コア２３を取り外してコア１４を芯ｒに圧入し、ロール紙Ｒの両側端を押さえ板１３で押える。また、ロール紙Ｒの芯ｒの内径に合うのがコア２３であれば、係合構造１７によりコア２３を押さえ板１３に取り付けてコア２３を芯ｒに圧入し、ロール紙Ｒの左右両側端を一対の押さえ板１３で挟む。
【００３７】
次に、押さえ板１３で挟まれたロール紙Ｒを凹部１７上に位置させる。ここで、押さえ板１３の円周面は支持ローラ１８，１９に接するが、押さえ板１３の径がロール紙Ｒの径よりも大きいので、ロール紙Ｒは支持ローラ１８，１９及び凹部１７に接しない。そして、各ガイド２０を互いに近接する方向にスライドさせ、各ガイド２０を各押さえ板１３に当接させる。各ガイド２０の位置を決定したら、各ロックレバー２１を回動させて、各ガイド２０のスライドをロックする。
【００３８】
本実施の形態によれば、ロール紙Ｒは、使用するロール紙Ｒの最大径よりも大きい径の押さえ板１３で挟まれているので、ロール紙Ｒを引き出す際にロール紙Ｒの紙面が凹面１７や支持ローラ１８，１９に擦り付けられないため、ロール紙Ｒの引き出しに要する力が軽くなり、また、印字面が傷められることがない。
【００３９】
そして、本実施の形態によれば、二種類のコア１４，２３のうち、いずれか一方を選択して使用できるので、二種類の芯ｒに対応できる。
【００４０】
次に、本発明の第二の実施の形態について、図５に基づいて説明する。なお、前実施の形態で説明した部分と同じ部分については、同じ符号を用い、詳細な説明を省略する。
【００４１】
本実施の形態のロール紙保持装置は、ロール紙Ｒの両側端を押える押さえ板３１と、押さえ板３１に着脱自在であってそれぞれ径が異なる三種類のコア３２，３３，３４とを備えている。図５に図示しているのは、コア３３を使用する場合である。
【００４２】
コア３２，３３，３４はそれぞれ、係合爪３５を有し、これらの係合爪３５が嵌合する係合孔３６が、押さえ板３１に形成されている。ここで、係合爪３５と係合孔３６とにより、係合構造３７が構成されている。
【００４３】
またここで、コア３２，３３，３４は、押さえ板３１の両面から着脱自在である。
【００４４】
さらに、各押さえ板３１の互いに対向する面には、その反対側の面に取り付けられたコアの係合爪３５をロール紙Ｒの側端から逃がすとともに押さえ板３１の剛性を高める補強リブ３８が複数本形成されている。
【００４５】
このような構成においては、使用しないコア３２，３４も押さえ板３１に取り付けることが可能であるので、使用しないコア３２，３４を紛失することがない。
【００４６】
次に、本発明の第三の実施の形態について、図６に基づいて説明する。本実施の形態のロール紙保持装置は、ロール紙Ｒの両側端を押える押さえ板４１と、それぞれ径が異なる三種類のコア４２，４３，４４とを備えている。
【００４７】
ここで、コア４２，４３，４４は、それぞれ、押さえ板４１に形成された係合孔４５とコア４２，４３，４４が備える係合爪４６とからなる係合構造４７により、押さえ板４１に着脱自在である。
【００４８】
また、押さえ板４１は、ロール紙Ｒの側端から係合爪４６を逃がすとともに押さえ板４１の剛性を高める補強リブ４８を両面に備えている。またさらに、押さえ板４１の片面には、コア４２，４３，４４と異なるサイズのコア４９が突設されている。
【００４９】
このような構成においては、第二の実施の形態の押さえ板３１よりもさらに多種類のコアを用いることができるため、さらに多種類のロール紙Ｒに対応できる。
【００５０】
なお、第二及び第三の実施の形態では、押さえ板に三種類の着脱自在なコアを設けているが、実施にあたっては、着脱自在なコアの数は三種類でなくてもよい。
【００５２】
【発明の効果】
請求項１記載の発明では、コアが押さえ板の両面に着脱自在であるので、使用しないコアを押さえ板のロール紙に接しない側の面に取り付けることができるため、使用しないコアの紛失を防止できる。
【００５３】
請求項２記載の発明では、押さえ板にロール紙の内周に嵌合するコアが突設されているので、さらに一種類のロール紙に対応できる。
【００５４】
請求項３記載の発明では、コアの外周面にロール紙の軸方向に略平行なリブが形成されているので、リブが形成されたコアが芯に圧入されるため、寸法精度が良くない芯にもコアを嵌合させることができ、コアと芯とが空回りすることを防止できる。
【図面の簡単な説明】
【図１】本発明の第一の実施の形態のロール紙保持装置及びそれが用いられるプリンタを示す斜視図である。
【図２】ロール紙保持装置及びプリンタの内部構造を概略的に示す縦断右側面図である。
【図３】（ａ）は押さえ板の右側面図、（ｂ）は縦断正面図である。
【図４】コアの外周面に形成されたリブを示す縦断正面図である。
【図５】（ａ）は本発明の第二の実施の形態の押さえ板を示す右側面図、（ｂ）は縦断正面図である。
【図６】（ａ）は本発明の第三の実施の形態の押さえ板を示す右側面図、（ｂ）は縦断正面図である。
【符号の説明】
１      ロール紙保持装置
１３      押さえ板
２３      コア
２５      係合構造
３１      押さえ板
３２，３３，３４  コア
３７      係合構造
３８      リブ
４１      押さえ板
４２，４２，４４  コア
４７      係合構造
４８      リブ
４９      コア
Ｒ      ロール紙
【図１】
0003758118.tif 000002
【図２】
0003758118.tif 000003
【図３】
0003758118.tif 000004
【図４】
0003758118.tif 000005
【図５】
0003758118.tif 000006
【図６】
0003758118.tif 000007